【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
マンコンベアのチェーン部に潤滑油を自動的に給油するマンコンベアの自動給油装置において、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、チェーン部に設けられ、チェーン部の摺動抵抗を検出する摺動抵抗監視装置とを備え、チェーン部の摺動抵抗が適正範囲を超えたことを検出した時、給油ポンプによりチェーン部に高粘度の潤滑油を給油することを特徴とするマンコンベアの給油状況確認装置。
【請求項２】
どのチェーン部の摺動抵抗が適正範囲を超えたかを検出し、マンコンベアの累積稼動時間とともに記憶して、対応するチェーン部の給油インターバルを見直すことを特徴とする請求項１記載のマンコンベアの給油状況確認装置。
【請求項３】
マンコンベアのチェーン部に潤滑油を自動的に給油するマンコンベアの自動給油装置において、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、所定の給油インターバルが経過した時に給油を行うとともに、チェーン部の摺動抵抗が適正範囲を超えたことを検出した時、絞り装置の絞り量を拡げて高粘度の潤滑油の供給量を増大させることを特徴とするマンコンベアの給油状況確認装置。
【請求項４】
どのチェーン部の摺動抵抗が適正範囲を超えたかを検出し、マンコンベアの累積稼動時間とともに記憶して、対応するチェーン部の絞り装置の絞り量を拡げて高粘度の潤滑油の供給量を増大させるるとともに、給油インターバルを見直すことを特徴とする請求項３記載のマンコンベアの給油状況確認装置。
【請求項５】
マンコンベアのチェーン部に潤滑油を自動的に給油するマンコンベアの自動給油装置において、高粘度の潤滑油が収容された潤滑油タンクと、高粘度の潤滑油を予め適正な温度に暖めておく加熱手段と、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、高粘度の潤滑油が適正な温度になった時に給油ポンプによる給油を開始し、チェーン部の摺動抵抗が適正範囲を超えたことを検出した時、絞り装置の絞り量を拡げて高粘度の潤滑油の供給量を増大させることを特徴とするマンコンベアの給油状況確認装置。
【請求項６】
どのチェーン部の摺動抵抗が適正範囲を超えたかを検出し、マンコンベアの累積稼動時間とともに記憶して、対応するチェーン部の絞り装置の絞り量を拡げて高粘度の潤滑油の供給量を増大させるるとともに、給油インターバルを見直すことを特徴とする請求項５記載のマンコンベアの給油状況確認装置。
【請求項７】
マンコンベアのチェーン部に潤滑油を自動的に給油するマンコンベアの自動給油方法において、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、各チェーン部に設けられ、各チェーン部の摺動抵抗を検出する摺動抵抗監視装置とを備え、どのチェーン部の摺動抵抗が適正範囲を超えたかを検出し、マンコンベアの累積稼動時間とともに記憶して、対応する各チェーン部の絞り装置の絞り量を拡げて高粘度の潤滑油の供給量を増大させるるとともに、給油インターバルを見直すことにより、各チェーン毎の最適給油量を確認することを特徴とするマンコンベアの給油状況確認方法。
【手続補正２】
【補正対象書類名】明細書
【補正対象項目名】０００６
【補正方法】変更
【補正の内容】
【０００６】
この発明に係るマンコンベアの給油状況確認装置は、マンコンベアのチェーン部に潤滑油を自動的に給油するものにおいて、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、チェーン部に設けられ、チェーン部の摺動抵抗を検出する摺動抵抗監視装置とを備え、チェーン部の摺動抵抗が適正範囲を超えたことを検出した時、給油ポンプによりチェーン部に高粘度の潤滑油を給油するものである。
【手続補正３】
【補正対象書類名】明細書
【補正対象項目名】０００７
【補正方法】変更
【補正の内容】
【０００７】
また、この発明に係るマンコンベアの給油状況確認装置は、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、所定の給油インターバルが経過した時に給油を行うとともに、チェーン部の摺動抵抗が適正範囲を超えたことを検出した時、絞り装置の絞り量を拡げて高粘度の潤滑油の供給量を増大させるものである。
【手続補正４】
【補正対象書類名】明細書
【補正対象項目名】０００８
【補正方法】変更
【補正の内容】
【０００８】
また、この発明に係るマンコンベアの給油状況確認装置は、高粘度の潤滑油が収容された潤滑油タンクと、高粘度の潤滑油を予め適正な温度に暖めておく加熱手段と、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、高粘度の潤滑油が適正な温度になった時に給油ポンプによる給油を開始し、チェーン部の摺動抵抗が適正範囲を超えたことを検出した時、絞り装置の絞り量を拡げて高粘度の潤滑油の供給量を増大させるものである。
【手続補正５】
【補正対象書類名】明細書
【補正対象項目名】０００９
【補正方法】変更
【補正の内容】
【０００９】
また、この発明に係るマンコンベアの給油状況確認方法は、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、各チェーン部に設けられ、各チェーン部の摺動抵抗を検出する摺動抵抗監視装置とを備え、どのチェーン部の摺動抵抗が適正範囲を超えたかを検出し、マンコンベアの累積稼動時間とともに記憶して、対応する各チェーン部の絞り装置の絞り量を拡げて高粘度の潤滑油の供給量を増大させるるとともに、給油インターバルを見直すことにより、各チェーン毎の最適給油量を確認するものである。
【手続補正６】
【補正対象書類名】明細書
【補正対象項目名】００１０
【補正方法】変更
【補正の内容】
【００１０】
この発明は、マンコンベアのチェーン部に潤滑油を自動的に給油するものにおいて、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、チェーン部に設けられ、チェーン部の摺動抵抗を検出する摺動抵抗監視装置とを備え、チェーン部の摺動抵抗が適正範囲を超えたことを検出した時、給油ポンプによりチェーン部に高粘度の潤滑油を給油するようにしたので、チェーン部の摺動抵抗を監視することにより、チェーンの部分的な油切れを確実に防止することができる。
【手続補正７】
【補正対象書類名】明細書
【補正対象項目名】００１１
【補正方法】変更
【補正の内容】
【００１１】
また、高粘度の潤滑油が収容された潤滑油タンクと、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、所定の給油インターバルが経過した時に給油を行うとともに、チェーン部の摺動抵抗が適正範囲を超えたことを検出した時、絞り装置の絞り量を拡げて高粘度の潤滑油の供給量を増大させるようにしたので、給油量を絞っても給油不足で放置されず、給油不足となったチェーン部の絞り量を調整することで、最適な給油量を模索することができる。
【手続補正８】
【補正対象書類名】明細書
【補正対象項目名】００１２
【補正方法】変更
【補正の内容】
【００１２】
また、高粘度の潤滑油が収容された潤滑油タンクと、高粘度の潤滑油を予め適正な温度に暖めておく加熱手段と、この潤滑油タンクと上記チェーン部付近とを連結する給油配管と、この給油配管に設けられ、潤滑油タンク内の高粘度の潤滑油をチェーン部に給油する給油ポンプと、給油配管に設けられ、チェーン部に給油する高粘度の潤滑油の供給量を調整する絞り装置と、チェーン部に設けられ、チェーン部の摺動抵抗を検出する摺動抵抗監視装置とを備え、高粘度の潤滑油が適正な温度になった時に給油ポンプによる給油を開始し、チェーン部の摺動抵抗が適正範囲を超えたことを検出した時、絞り装置の絞り量を拡げて高粘度の潤滑油の供給量を増大させるようにしたので、高粘度の潤滑油を使用することができ、従来の約４８時間の給油インターバルから約５００時間の長期給油インターバルを実現することができる。